(57)【特許請求の範囲】
【請求項１】
物体側から正の第１群、負の第２群、負の第３群、正の第４群、正の第５群、負の第６群を配し、第２群と第３群の間に絞りを有してなり、
第１群は、正の第１レンズからなり、  
第２群は、正の第２レンズと負の第３レンズが接合されてなり、  
第３群は、負の第４レンズからなり、  
第４群は、正の第５レンズからなり、  
第５群は、正の第６レンズからなり、  
第６群は、負の第７レンズからなる、６群７枚構成であり、
全系のｅ線に対する焦点距離をｆ、第４群をなす正の第５レンズのｅ線に対する焦点距離をｆ４、第５群をなす正の第６レンズのｅ線に対する焦点距離をｆ５とするとき、φ４＝ｆ４／ｆ、φ５＝ｆ５／ｆで定義されるφ４、φ５および、第５レンズの材質のアッベ数：ν５、第６レンズの材質のアッベ数：ν６が、条件：  
（１）  φ４／ν５＋φ５／ν６  ＜  ０．０４    
（２）  ｜φ４−φ５｜  ＜  ０．１２  
を満足することを特徴とする読取レンズ。
【請求項２】
請求項１記載の読取レンズにおいて、
第１レンズが物体側に凸面を向けた正メニスカスレンズ、第２レンズが物体側面を凸面とする正レンズ、第３レンズが像側面を凹面とする負レンズ、第４レンズが物体側に凹面を向けた負メニスカスレンズ、第５レンズが像側面を凸面とする正レンズ、第６レンズが両凸レンズ、第７レンズが両凹レンズであることを特徴とする読取レンズ。
【請求項３】
請求項２記載の読取レンズにおいて、
第３レンズが負メニスカスレンズ、第５レンズが正メニスカスレンズであることを特徴とする読取レンズ。
【請求項４】
請求項２記載の読取レンズにおいて、
第２レンズが正メニスカスレンズ、第３レンズが負メニスカスレンズ、第５レンズが両凸レンズであることを特徴とする読取レンズ。
【請求項５】
請求項２記載の読取レンズにおいて、
第２レンズが両凸レンズ、第３レンズが両凹レンズ、第５レンズが正メニスカスレンズ
であることを特徴とする読取レンズ。
【請求項６】
請求項１〜５の任意の１に記載の読取レンズにおいて、
第１〜第７レンズが全てガラスレンズであることを特徴とする読取レンズ。
【請求項７】
原稿を照明する照明系と、上記照明系で照明された原稿の反射光を縮小結像させる結像レンズと、この結像レンズで結像された原稿像を受光して光電変換するラインセンサとを有する画像読取装置であって、
結像レンズとして請求項１〜６の任意の１に記載の読取レンズを用いたことを特徴とする画像読取装置。
【請求項８】
請求項７記載の画像読取装置を用い、読取った画像情報を用いて画像形成を行なう画像形成装置。
【発明の詳細な説明】
【技術分野】
【０００１】
この発明は原稿画像を読取る読取レンズ、この読取レンズを用いる画像読取装置および画像形成装置に関する。読取レンズは、ファクシミリやデジタル複写機の原稿読取部や各種のイメージスキャナに利用できる。
【背景技術】
【０００２】
ファクシミリやデジタル複写装置等において、送信原稿や複写原稿の画像を読取る画像読取装置は、読取るべき画像を読取レンズで縮小し、ＣＣＤ等の固体撮像素子上に結像させて画像情報を信号化する。  
また、原稿情報をカラーで読み取るため、例えば赤、緑、青のフィルタを持った受光素子が１チップに３列に配列された所謂３ラインＣＣＤを用い、この受光面に原稿像を結像させることにより３原色に色分解し、カラー画像を信号化する光学系がある。
【０００３】
このような画像読取りに用いられる読取レンズには、一般に、像面において高空間周波数領域での高いコントラストが要求されると共に、開口効率が画角周辺部まで１００％近くあることが要求され、像面湾曲が極めて良好に補正されている必要がある。  
また、カラー原稿を良好に読取るには、受光面上で赤、緑、青の各色の結像位置を光軸方向に合致させる必要があり、各色の色収差を極めて良好に補正しなければならない。
【０００４】
さらに、画像読取装置の小型化、特に、原稿と受光面との間の共役距離を小さくすることが求められている。このためには、読取レンズの広画角化が必要である。
【０００５】
また、画像読取りの高速化も求められているが、そのためには大口径で明るいレンズであることが必要である。
【０００６】
従来、大口径を実現した読取レンズとしては、４群６枚構成のガウスタイプのものが多数知られている。ガウスタイプのレンズ系は、大口径にしても「コマフレアの発生を小さく抑えられるレンズタイプ」であるが、現在知られている大多数のものは半画角：１８度程度であり、比較的画角の広いものでも半画角：２０度程度に留まっている。
【０００７】
このため、ガウスタイプの読取レンズは、明るさの点では有効であるが、画像形成装置の小型化の要請に応えるには必ずしも十分でない。
【０００８】
ガウスタイプのレンズ構成にさらに１枚のレンズを加え、５群７枚構成とした読取りレンズが知られている（特許文献１）。この読取レンズは、Ｆナンバ：４．０程度と大口径であるが、半画角は２０度程度であり、画像読取装置の小型化を十分に達成するには必ずしも十分でない。
【０００９】
特許文献１記載の読取レンズはまた、非球面を採用している。非球面の採用は、非球面形成が容易でないことから「読取レンズのコストアップ」の要因となるばかりでなく、外径の大きいレンズでは面精度を良好に保てなくなり、読取レンズの結像性能劣化の原因ともなる。
【発明の概要】
【発明が解決しようとする課題】
【００１０】
この発明は上述したところに鑑み、半画角が２４°程度と広画角でありながら、像面湾曲が良好に補正され、Ｆナンバが４．０程度と明るく、開口効率が周辺部まで１００％に近く、かつ諸収差も良好に補正されて高空間周波数領域で高いコントラストを有し、フルカラー読取にも対応可能で、６群７枚構成の「球面のみによる小型な読取レンズ」の実現を可能ならしむること課題とする。
【００１１】
また、かかる読取レンズを用いる画像読取装置、画像形成装置の実現を課題とする。
【課題を解決するための手段】
【００１２】
この発明の読取レンズは、ファクシミリやデジタル複写装置等において、送信原稿や複写原稿の画像を読取る画像読取装置に用いられ、読取るべき画像を読取レンズで縮小し、ＣＣＤ等の固体撮像素子上に結像させる読取レンズ」であって以下の如く構成される（請求項１）。
【００１３】
即ち、読取レンズは図１に例示するように、物体側（図の左方）から像側（図の右方）へ向かって、正の第１群Ｉ、負の第２群ＩＩ、負の第３群ＩＩＩ、正の第４群ＩＶ、正の第５群Ｖ、負の第６群ＶＩを配し、第２群ＩＩと第３群ＩＩＩの間に絞りＳＴを有してなる。
【００１４】
なお、図１において、符号ＣＧは原稿載置ガラスあるいはコンタクトガラスを示し、図示の簡単のために、第１群Ｉに密接して描いている。また、符号Ｆは撮像素子のカバーガラスや各種フィルタを「これらに等価な光学特性を持つ１枚の透明平行平板」として表したものであり、図示の簡単のため、第６群ＶＩに近接させて描いている。
【００１５】
第１群Ｉは、正の第１レンズＬ１からなり、第２群ＩＩは、正の第２レンズＬ２と負の第３レンズＬ３が接合されてなる。第２レンズＬ２と第３レンズＬ３は接合されて「負の屈折力」の第２群ＩＩを構成する。  
第３群ＩＩＩは、負の第４レンズＬ４からなり、第４群ＩＶは、正の第５レンズＬ５からなる。第５群Ｖは、正の第６レンズＬ６からなり、第６群ＶＩは、負の第７レンズＬ７からなる。  
従って、読取レンズの全系は６群７枚構成であり、屈折力配分は、物体側か裸像側へ向かって、正・負・負・正・正・負であり、第１レンズＬ１〜第７レンズＬ７の屈折力の配分は、正・正・負・負・正・正・負である。
【００１６】
読取レンズは、以下の条件（１）、（２）を満足する。
（１）  φ４／ν５＋φ５／ν６  ＜  ０．０４    
（２）  ｜φ４−φ５｜  ＜  ０．１２  
ここに、全系の「ｅ線に対する焦点距離」をｆ（＞０）、第４群ＩＶをなす正の第５レンズＬ５の「ｅ線に対する焦点距離」をｆ４、第５群Ｖをなす正の第６レンズＬ６の「ｅ線に対する焦点距離」をｆ５とするとき、φ４、φ５はそれぞれ、φ４＝ｆ４／ｆ、φ５＝ｆ５／ｆで定義される。  
ν５、ν６はそれぞれ、第５レンズ、第６レンズの材質のアッベ数を表す。
【００１７】
請求項１記載の読取レンズは、第１レンズＬ１を「物体側に凸面を向けた正メニスカスレンズ」、第２レンズＬ２を「物体側面を凸面とする正レンズ」、第３レンズＬ３を「像側面を凹面とする負レンズ」とし、第４レンズＬ４を「物体側に凹面を向けた負メニスカスレンズ」、第５レンズＬ５を「像側面を凸面とする正レンズ」、第６レンズＬ６を「両凸レンズ」、第７レンズＬ７を「両凹レンズ」として構成することが出来る（請求項２）。
【００１８】
請求項２のレンズ構成においてはまた、第３レンズＬ３を「負メニスカスレンズ」、第５レンズＬ５を「正メニスカスレンズ」とすることができる（請求項３）。
【００１９】
請求項２のレンズ構成においては、第２レンズＬ２を「正メニスカスレンズ」、第３レンズＬ３を「負メニスカスレンズ」、第５レンズＬ５を「両凸レンズ」とすることができる（請求項４）。
【００２０】
請求項２記載の読取レンズにおいてはまた、第２レンズＬ２を「両凸レンズ」、第３レンズＬ３を「両凹レンズ」、第５レンズＬ５を「正メニスカスレンズ」とすることができる（請求項５）。
【００２１】
請求項１〜５の任意の１に記載の読取レンズは、全てのレンズをガラスレンズで構成することができる（請求項６）。
この場合、これらのガラスレンズのガラス材料は「鉛、砒素などの有害物質を含有しないガラス素材」であることが好ましい。
【００２２】
この発明の画像読取装置は「原稿を照明する照明系と、照明系で照明された原稿の反射光を縮小結像させる結像レンズと、この結像レンズで結像された原稿像を受光して光電変換するラインセンサとを有する画像読取装置」であって、結像レンズとして請求項１〜６の任意の１に記載の読取レンズを用いたことを特徴とする（請求項７）。
【００２３】
この発明の画像形成装置は「請求項７記載の画像読取装置を用い、読取った画像情報を用いて画像形成を行なう画像形成装置」である（請求項８）。
【００２４】
説明を補足する。  
この発明の読取レンズは、６群７枚構成であってレンズ面が１３面あり、特に、請求項２〜４のように、第２、第３、第５レンズのレンズ形状に自由度があるので、従来から知られたガウスタイプのものに比して設計のパラメータが多く、設計の自由度が高いため、諸収差の良好な補正が可能である。
【００２５】
また、全レンズ面が球面で形成されるため、レンズ面の形成が容易で、読取レンズを低コストで実現できる。
【００２６】
条件（１）は、第４群と第５群のレンズ（第５レンズと第６レンズ）による色消し機能を確保する条件である。  
条件（１）における「φ４」は、正の第５レンズの「全系に対する正の屈折力の強さ」を表し、「φ５」は、正の第６レンズの「全系に対する正の屈折力の強さ」を表す。これらの正の屈折力を持つレンズのアッベ数に対する比率の和が条件（１）のパラメータであり、第５レンズと第６レンズの正のパワーと「第２群の負のパワー」とを組み合わせて良好な色収差補正を実現する。
【００２７】
条件（１）の上限を超えると、第５レンズと第６レンズの正のパワーが小さくなり、これらレンズのアッベ数の選択によっても十分な色消し効果が得られず、全系の色収差が大きくなってしまう。
【００２８】
条件（２）は第４群と第５群のレンズ（第５レンズと第６レンズ）における「パワー配分（ｆ４／ｆ、ｆ５／ｆ）の差」を規制する条件であり、上限を越えると両レンズのパワー配分の差が大きくなりすぎ、第５、第６レンズの「レンズ外径の差」が大きくなるため、読取レンズのコンパクト化に不利になる。
【００２９】
上に説明したように、この発明の読取レンズは、これを構成する第１〜第７レンズが全て「球面レンズ」であって非球面を用いない。
従って、請求項６の読取レンズのように、これら第１〜第７レンズを「全てガラスレンズで構成する」ことが容易に可能である。
全レンズをガラスレンズとすると、読取レンズの耐環境性が高く、画像読取装置内の温度が照明系の可動で変動しても光学特性の変化を小さく抑えることができる。
【００３０】
請求項６の読取レンズのように、全レンズをガラスレンズとする場合、第１〜第７レンズを全て「鉛、砒素などの有害物質を含有しないガラス」を素材としたガラスレンズとすることにより、ガラス材料のリサイクル化が容易となり、また、レンズ加工時の廃液による水質汚染が無く、省資源化や加工時に発生するＣＯ２等を低減でき、地球環境に配慮した読取レンズとなる。
【発明の効果】
【００３１】
以上に説明したように、この発明によれば、新規な読取レンズを実現できる。  
この発明の読取レンズは上記の如き構成を有し、後述する実施例に示すように、Ｆナンバ：４．０程度の大口径、半画角：２４度程度の広画角で、「高空間周波数領域での高いコントラスト」と、画角周辺部まで１００％近い開口効率を持ち、色収差が良好に補正され、且つ、コンパクトに実現可能である。  
従って、このような「広画角の読取レンズ」を用いることにより、原稿面からラインセンサに至る共役長を短く設定でき、コンパクトな画像読取装置・画像形成装置を実現できる。
【図面の簡単な説明】
【００３２】
【図１】読取レンズを説明するための図である。
【図２】実施例１の読取レンズのレンズ構成を示す図である。
【図３】実施例１に関する収差図である。
【図４】実施例２の読取レンズのレンズ構成を示す図である。
【図５】実施例２に関する収差図である。
【図６】実施例３の読取レンズのレンズ構成を示す図である。
【図７】実施例３に関する収差図である。
【図８】実施例４の読取レンズのレンズ構成を示す図である。
【図９】実施例４に関する収差図である。
【図１０】実施例５の読取レンズのレンズ構成を示す図である。
【図１１】実施例５に関する収差図である。
【図１２】画像読取装置の実施の１形態を説明するための図である。
【図１３】画像形成装置の実施の１形態を説明するための図である。
【発明を実施するための形態】
【００３３】
以下、実施の形態を説明する。  
図２、図４、図６、図８、図１０に、読取レンズの実施の形態を示す。これらの実施の形態は、図の順番に、後述する実施例１〜５に対応するものである。繁雑をさけるため、これらの図において符号を共通化し、図１に示す如く、ＣＧにより原稿載置ガラスもしくはコンタクトガラス、符号Ｆによりフィルタ等、符号Ｌ１〜Ｌ７により順次、第１〜第７レンズを示し、符号ＳＴにより絞りを示す。
【００３４】
上記各図に示す読取レンズは、物体側（図の左方）から順に、正の第１群、負の第２群、負の第３群、正の第４群、正の第５群、負の第６群を配し、第２群と第３群の間に絞りＳＴを有してなり、第１群は、正の第１レンズＬ１からなり、第２群は、正の第２レンズＬ２と負の第３レンズＬ３が接合されてなり、第３群は、負の第４レンズＬ４からなり、第４群は、正の第５レンズＬ５からなり、第５群は、正の第６レンズＬ６からなり、第６群は、負の第７レンズＬ７からなる、６群７枚構成である。
【００３５】
第１レンズＬ１は「物体側に凸面を向けた正メニスカスレンズ」、第２レンズＬ２は「物体側面を凸面とする正レンズ」、第３レンズＬ３は「像側面を凹面とする負レンズ」、第４レンズＬ４は「物体側に凹面を向けた負メニスカスレンズ」、第５レンズＬ５は「像側面を凸面とする正レンズ」、第６レンズＬ６は「両凸レンズ」、第７レンズＬ７は「両凹レンズ」である。
【００３６】
図２、図４、図６に示す読取レンズでは、第３レンズＬ３が負メニスカスレンズ、第５レンズＬ５が正メニスカスレンズである。図８に示す読取レンズでは、第２レンズＬ２が正メニスカスレンズ、第３レンズＬ３が負メニスカスレンズ、第５レンズＬ５が両凸レンズである。
【００３７】
また、図１０に示す読取レンズでは、第２レンズＬ２が両凸レンズ、第３レンズＬ３が両凹レンズ、第５レンズが正メニスカスレンズである。
【００３８】
これらの実施の形態に対応する実施例１〜５の読取レンズは何れも、条件（１）、（２）を満足する。
【００３９】
また、実施例１〜５の読取レンズは、第１レンズＬ１〜第７レンズＬ７が全て「鉛、砒素などの有害物質を含有しないガラスを素材とするガラスレンズ」である。また、何れの実施例も「非球面」を採用せず、第１〜第７レンズは全て「ガラスレンズ」である。
【００４０】
以下には、画像読取装置と画像形成装置の実施の形態を説明する。  
図１２は「画像読取装置」の実施の１形態を示す図である。  
図１２において、読取られるべき画像を有する原稿１１２はコンタクトガラス１１１上に平面的に定置され、コンタクトガラス１１１の下部に「ＸｅランプやＬＥＤ光源等」を用いた照明ユニット１１３Ａを配置し、その照明光により、載置された原稿の原稿面の「図面に直交する方向に長いスリット状部分」を照明する。  
原稿１１２の照明された部分からの反射光（画像による反射光）は、第１走行体１１３に設けられた第１ミラー１１３Ｂにより反射された後、第２走行体１１４に設けられた第２ミラー１１４Ａ、第３ミラー１１４Ｂにより順次反射され、読取レンズ１１５を透過し、光電変換を行なう固体撮像素子としてのラインセンサ１１６の撮像面上に原稿画像の縮小像として結像する。
【００４１】
第１〜第３ミラー１１３Ｂ、１１４Ａ、１１４Ｂは「反射光学系」を構成し、第１走行体１１３、第２走行体１１４は、図示されない駆動手段により、それぞれ矢印方向（図の右方）へ走行させられる。  
第１走行体１１３の走行速度は「Ｖ」、第２走行体１１４の走行速度は「Ｖ／２」であり、第１走行体１１３、第２走行体１１４は、それぞれ図示された「破線で示す位置」まで変位する。  
照明ユニット１１３Ａと第１ミラー１１３Ｂは、第１走行体１１３と一体的に移動し、コンタクトガラス１上の原稿１１２の全体を「照明走査」する。第１、第２走行体の移動速度比は「Ｖ：Ｖ／２」であるので、「照明走査される原稿部分から読取レンズに至る光路長」は不変に保たれる。
【００４２】
ラインセンサ１１６は「色分解手段として赤（Ｒ）、緑（Ｇ）、青（Ｂ）のフィルタを持った光電変換素子（１１６Ａ、１１６Ｂ、１１６Ｃ）を、１チップに３列に配列させた３ラインＣＣＤ（３ラインのラインセンサ）」であり、原稿１１２の照明走査に伴い、原稿画像を画像信号化する。このようにして原稿１１２の読取りが実行され、原稿１１２のカラー画像は、赤、緑、青の３原色に色分解して読取られる。
【００４３】
この実施の形態の画像読取装置は、画像をフルカラーで読取る装置であって、画像読取レンズ１１５の結像光路中に設けられた「色分解手段（前記３ラインＣＣＤに設けられた赤、緑、青のフィルタ）」を有する。
【００４４】
なお、画像読取装置の他の形態として「コンタクトガラス上の原稿をスリット状に照明する照明手段と、ラインセンサと、原稿の被照明部からラインセンサに至る結像光路を形成する複数のミラーと、上記結像光路上に配置される画像読取レンズと」を相互に一体化した読取ユニットを、駆動手段により原稿に相対的に走行させることにより原稿を読取走査するようにした形態のものとすることもできる。
【００４５】
「色分解」は、上記とは別に、読取レンズ１１５とラインセンサ（ＣＣＤ）との間に色分解プリズムやフィルタを選択的に挿入し、Ｒ（赤）、Ｇ（緑）、Ｂ（青）に色分解する方法や「Ｒ、Ｇ、Ｂの光源を順次点灯させ原稿を照明する方法」を用いることができる。
【００４６】
図１３は、画像形成装置の実施の１形態を示す図である。  
図１３の画像形成装置は、装置上部に位置する画像読取装置２００と、その下位に位置する「画像形成部」とを有する。画像読取装置２００の部分は、図１２に即して説明したものと同様のものであり、各部には図１２に示された符号と同じ符号を付してある。
【００４７】
画像読取装置２００の３ラインのラインセンサ１１６から出力される画像信号は画像処理部１２００に送られ、画像処理部１２００において処理されて「書込み用の信号（イエロー・マゼンタ・シアン・黒の各色を書込むための信号）」に変換される。
【００４８】
画像形成部は、「潜像担持体」として円筒状に形成された光導電性の感光体１１００を有し、その周囲に、帯電手段としての帯電ローラ１１１０、リボルバ式の現像装置１１３０、転写ベルト１１４０、クリーニング装置１１５０が配設されている。帯電手段としては帯電ローラ１１１０に代えて「コロナチャージャ」を用いることもできる。
【００４９】
信号処理部１２００から書込み用の信号を受けて光走査により感光体１１００に書込みを行う光走査装置１１７０は、帯電ローラ１１１０と現像装置１１３０との間において感光体１１００の光走査を行うようになっている。
【００５０】
符号１１６０は定着装置、符号１１８０はカセット、符号１１９０はレジストローラ対、符号１２２０は給紙コロ、符号１２１０はトレイ、符号Ｓは「記録媒体」としての転写紙を示している。
【００５１】
画像形成を行うときは、光導電性の感光体１１００が時計回りに等速回転され、その表面が帯電ローラ１１１０により均一帯電され、光走査装置１１７０のレーザビームの光書込による露光を受けて静電潜像が形成される。形成された静電潜像は所謂「ネガ潜像」であって画像部が露光されている。
【００５２】
「画像の書込み」は、感光体１１００の回転に従い、イエロー画像、マゼンタ画像、シアン画像、黒画像の順に行われ、形成された静電潜像はリボルバ式の現像装置１１３０の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化され、得られた各色トナー画像は、転写ベルト１１４０上に、転写電圧印加ローラ１１４Ａにより順次転写され、上記各色トナー画像が転写ベルト１１４０上で重ね合わせられてカラー画像となる。
【００５３】
転写紙Ｓを収納したカセット１１８０は、画像形成装置本体に脱着可能であり、図のごとく装着された状態において、収納された転写紙Ｓの最上位の１枚が給紙コロ１２２０により給紙され、給紙された転写紙Ｓはその先端部をレジストローラ対１１９０に捕えられる。
【００５４】
レジストローラ対１１９０は、転写ベルト１１４０上の「トナーによるカラー画像」が転写位置へ移動するのにタイミングを合わせて転写紙Ｓを転写部へ送り込む。送り込まれた転写紙Ｓは、転写部においてカラー画像と重ね合わせられ、転写ローラ１１４Ｂの作用によりカラー画像を静電転写される。転写ローラ１１４Ｂは、転写時に転写紙Ｓをカラー画像に押圧させる。
【００５５】
カラー画像を転写された転写紙Ｓは定着装置１１６０へ送られ、定着装置１１６０においてカラー画像を定着され、図示されないガイド手段による搬送路を通り、図示されない排紙ローラ対によりトレイ１２１０上に排出される。各色トナー画像が転写されるたびに、感光体１１００の表面はクリーニング装置１１５０によりクリーニングされ、残留トナーや紙粉等が除去される。
【実施例】
【００５６】
以下、読取レンズの具体的な実施例を５例挙げる。各実施例における記号の意味は下記の通りである（図１を参照）。
【００５７】
ｆ                  ：全系のｅ線の合成焦点距離
ＦＮｏ              ：Ｆナンバ
ｍ                  ：縮率
ω                  ：半画角
Ｙ                  ：物体高
ｒｉ（ｉ=１〜１４）  ：物体側から数えてｉ番目の面の曲率半径
ｄｉ（ｉ=１〜１３）  ：物体側から数えてｉ番目の面間隔
ｎｊ（ｊ=１〜７）    ：物体側から数えてｊ番目のレンズの材料の屈折率
νｊ（ｊ=１〜７）    ：物体側から数えてｊ番目のレンズの材料のアッベ数
ｒｃ１              ：コンタクトガラスの物体側の曲率半径
ｒｃ２              ：コンタクトガラスの像側の曲率半径
ｒｃ３              ：ＣＣＤカバーガラスの物体側の曲率半径
ｒｃ４              ：ＣＣＤカバーガラスの像側の曲率半径
ｄｃ１              ：コンタクトガラスの肉厚
ｄｃ３              ：ＣＣＤカバーガラスの肉厚
ｎｃ１              ：コンタクトガラスの屈折率
ｎｃ３              ：ＣＣＤカバーガラスの屈折率
νｃ１              ：コンタクトガラスＣＧのアッベ数
νｃ３              ：ＣＣＤカバーガラスＦのアッベ数
ｎｄ                ：ｄ線の屈折率
νｄ                ：ｄ線のアッベ数
ｎｅ                ：ｅ線の屈折率                      
なお、特に断らない限り、長さの元を持つ量の単位は「ｍｍ」である。
【００５８】
「実施例１」  
図２に、実施例１のレンズ構成を示す。
ｆ＝65.880  、ＦＮｏ＝3.97  、ｍ＝0.23622  、Ｙ＝152.4  、ω＝23.8°  
実施例１のデータを表１に示す。
【００５９】
【表１】
0005594107.tif 000002
【００６０】
「実施例２」
図４に実施例２のレンズ構成を示す。
ｆ＝65.163  、ＦＮｏ＝3.99  、ｍ＝0.23622  、Ｙ＝152.4  、ω＝24.1°  
実施例２のデータを表２に示す。  
【００６１】
【表２】
0005594107.tif 000003
【００６２】
「実施例３」
図６に実施例２のレンズ構成を示す。
ｆ＝65.471  、ＦＮｏ＝3.98  、ｍ＝0.23622  、Ｙ＝152.4  、ω＝24.0°  
実施例３のデータを表３に示す。  
【００６３】
【表３】
0005594107.tif 000004
【００６４】
「実施例４」
図８に実施例４の読取レンズのレンズ構成を示す。
ｆ＝66.051  、ＦＮｏ＝3.98  、ｍ＝0.23622  、Ｙ＝152.4  、ω＝24.1°  
実施例４のデータを表４に示す。
【００６５】
【表４】
0005594107.tif 000005
【００６６】
「実施例５」
図１０に実施例５の読取レンズのレンズ構成を示す。
ｆ＝66.415  、ＦＮｏ＝4.02  、ｍ＝0.23622  、Ｙ＝152.4  、ω＝23.7°  
実施例５のデータを表５に示す。
【００６７】
【表５】
0005594107.tif 000006
【００６８】
実施例１〜５の読取レンズの条件（１）に関する値を表６に示す。
【００６９】
【表６】
0005594107.tif 000007
【００７０】
実施例１〜５の読取レンズの条件（２）のパラメータの値を表７に示す。
【００７１】
【表７】
0005594107.tif 000008
【００７２】
図３に実施例１の読取レンズに関する収差図を示す。  
収差図において「ｅ」はｅ線（５４６．０７ｎｍ）、「ｇ」はｇ線（４３６．８３ｎｍ）、「ｃ」はｃ線（６５６．２７ｎｍ）、「Ｆ」はＦ線（４８６．１３ｎｍ）を示す。球面収差の図における破線は「正弦条件」を示し、非点収差の図における実線はサジタル光線、破線はメリディオナル光線を示す。他の実施例の収差図においても同様である。
【００７３】
図５に実施例２の読取レンズに関する収差図、図７に実施例３の読取レンズに関する収差図、図９に実施例４の読取レンズに関する収差図、図１１に実施例５の読取レンズに関する収差図を示す。
【００７４】
実施例１〜５の読取レンズとも、ＦＮｏ：４．０程度と大口径で、半画角：２４度程度と広角であり、各収差図に示すように、性能も良好である。
【符号の説明】
【００７５】
Ｌ１        第１レンズ  
Ｌ２        第２レンズ  
Ｌ３        第３レンズ  
ＳＴ        絞り  
Ｌ４        第４レンズ  
Ｌ５        第５レンズ  
Ｌ６        第６レンズ  
Ｌ７        第７レンズ  
【先行技術文献】
【特許文献】
【００７６】
【特許文献１】特開２００５−３５１９７３号公報
【図１】
0005594107.tif 000009
【図２】
0005594107.tif 000010
【図３】
0005594107.tif 000011
【図４】
0005594107.tif 000012
【図５】
0005594107.tif 000013
【図６】
0005594107.tif 000014
【図７】
0005594107.tif 000015
【図８】
0005594107.tif 000016
【図９】
0005594107.tif 000017
【図１０】
0005594107.tif 000018
【図１１】
0005594107.tif 000019
【図１２】
0005594107.tif 000020
【図１３】
0005594107.tif 000021